(57)【要約】【課題】渦巻き薫香を、その内周側の端部まで落下することなく完全に燃焼することができるようにする。【解決手段】左右両側の斜面１ａ、１ｂを円弧状として全体を略半円形となした一方の支持板１と、左右いずれか一方側の斜面４ａを円弧状となすと共にこれと反対側の斜面４ｂを直線状となしたもう一方の支持板４とを用いる。支持板４の直線状の斜面４ｂに形成した連結片部６を、支持板１の連結片部の挿通孔２に挿通すると共に該支持板１の外側において連結片部６に設けたくさびの挿通孔５にくさび９を挿通して両支持板１、４を直交状態に組み立てる。この状態において支持板４の頂部に形成した座板の支持片部７を、スポンジ状のグラスウールからなる円形の座板１０の孔１１にくぐらせ、該座板１０を両支持板１、４の頂部に配置する。【選択図】図２
2006141538.tif 000002
【特許請求の範囲】
【請求項１】
不燃材の平板からなり、左右両側の斜面を円弧状として全体を略半円形となし、幅方向の中心部に、後記もう一方の支持板の連結片部が挿通される縦方向の孔を設けた一方の支持板と、不燃材の平板からなり、左右いずれか一方側の斜面を円弧状となすと共にこれと反対側の斜面を直線状となし、該直線状の斜面に連結片部を形成し、更に頂部に後記座板の支持片部を形成したもう一方の支持板と、中央部に前記支持板における座板の支持片部を挿通する孔を設けた、スポンジ状のグラスウールからなる所要径の円形の座板とからなり、前記一方の支持板の連結片部をもう一方の支持板の連結片部の挿通孔に挿通して両支持板を直交状態に組み立てると共に適宜の抜け止め手段をもって連結片部の抜けを防ぎ、更にこの状態において一方の支持板の頂部に形成した座板の支持片部を、前記スポンジ状のグラスウールからなる円形の座板に設けた孔にくぐらせ、該座板を両支持板の頂部に配置したことを特徴とする渦巻き薫香用支持具。
【請求項２】
連結片部の抜け止め手段が、連結片部の中央部に設けたくさびの挿通孔と、両支持板を直交状態に組み立てたとき、該くさびの挿通孔に挿通するくさびとをもって構成される抜け止め手段である請求項１記載の渦巻き薫香用支持具。
【請求項３】
連結片部の抜け止め手段が、連結片部の一部を直線状の斜面に対して左右いずれかに折曲し得るように構成してなる抜け止め手段である請求項１記載の渦巻き薫香用支持具。
【請求項４】
一方の支持板の頂部に形成した座板の支持片部を鉤形になした請求項１、２又は３記載の渦巻き薫香用支持具。
【請求項５】
両支持板の円弧状の斜面における下端から所定の高さの位置に、渦巻き薫香の最外周の部分を嵌め込むための凹部を形成してなる請求項１、２、３又は４記載の渦巻き薫香用支持具。
【請求項６】
両支持板の円弧状の斜面に夫々スポンジ状のグラスウールを取着してなる請求項１、２、３、４又は５記載の渦巻き薫香用支持具。
【発明の詳細な説明】
【技術分野】
【０００１】
本発明は渦巻き薫香用支持具に関し、更に詳細には渦巻き薫香が湿気を帯びて垂れ下がったときに、立ち消えを起こさないようにして支持することができるようになした渦巻き薫香用支持具に係わる。
【背景技術】
【０００２】
【特許文献１】特開平９−２７１４３９号公開公報
【０００３】
渦巻き薫香を焚く際において、該渦巻き薫香が湿気を帯びて垂れ下がったとき、その着火部分が受け皿等との接触による立ち消えを起こさないようにして支持するようにするための支持具として、従来特許文献１に示されたものがある。
【０００４】
図５には該特許文献１に示された支持具を示してあり、該支持具１００は、平板からなり、左右両側の斜面を円弧状として全体を略半円形となした２枚の支持板１０１、１０２を用い、夫々の幅方向の中心部に設けた縦方向のスリットを咬み合わせて直交状態に組み立てるものである。尚、１０３は渦巻き薫香を示す。
【０００５】
しかし、斯かる支持具１００にあっては、渦巻き薫香１０３の内周側の端部に燃焼部分が近付いたとき、最後の未燃焼部分（図５中Ａ部分）が宙に浮き、燃え尽きた部分によって片持ち状に支持されている状態となる。しかし、燃え尽きた部分は脆いために僅かな震動でも崩れ易い。そして崩れると着火状態の渦巻き薫香の未燃焼の端部が落下してバウンドし、受け皿の外部に跳ね出す虞がある。
【発明の開示】
【発明が解決しようとする課題】
【０００６】
本発明は上記の点に鑑みなされたものであって、渦巻き薫香の内周側の端部をスポンジ状のグラスウールからなる所要径の円形の座板で受け支えることにより、まだ火がついている渦巻き薫香の端部が落下することなく最後まで完全に燃焼するようになした渦巻き薫香用支持具を提供せんとするものである。
【課題を解決するための手段】
【０００７】
而して、本発明の要旨とするところは、不燃材の平板からなり、左右両側の斜面を円弧状として全体を略半円形となし、幅方向の中心部に、後記もう一方の支持板の連結片部が挿通される縦方向の孔を設けた一方の支持板と、不燃材の平板からなり、左右いずれか一方側の斜面を円弧状となすと共にこれと反対側の斜面を直線状となし、該直線状の斜面に連結片部を形成し、更に頂部に後記座板の支持片部を形成したもう一方の支持板と、中央部に前記支持板における座板の支持片部を挿通する孔を設けた、スポンジ状のグラスウールからなる所要径の円形の座板とからなり、前記一方の支持板の連結片部をもう一方の支持板の連結片部の挿通孔に挿通して両支持板を直交状態に組み立てると共に適宜の抜け止め手段をもって連結片部の抜けを防ぎ、更にこの状態において一方の支持板の頂部に形成した座板の支持片部を、前記スポンジ状のグラスウールからなる円形の座板に設けた孔にくぐらせ、該座板を両支持板の頂部に配置したことを特徴とする渦巻き薫香用支持具にある。
【０００８】
また、上記構成において、連結片部の抜け止め手段としては、連結片部の中央部に設けたくさびの挿通孔と、両支持板を直交状態に組み立てたとき、該くさびの挿通孔に挿通するくさびとをもって構成される抜け止め手段としてもよく、或いはまた連結片部の一部を直線状の斜面に対して左右いずれかに折曲し得るように構成してなる抜け止め手段としてもよい。このような抜け止め手段を用いることにより、両支持板の組み立てが強固になり、また組み立てを解いて分解するときも手際よく行うことができる。
【０００９】
また、上記構成において、一方の支持板の頂部に形成した座板の支持片部を鉤形になしてもよい。これにより鉤形の座板の支持片部を使って吊り下げて使用することもできるようになるものである。このように吊り下げて使用する場合には、従来の如く受け皿に立てて使用するよりも安全である。即ち、受け皿に立てた場合には、地震等によって受け皿が大きく震動したときにショックで転倒する虞があるが、吊り下げた場合には、揺れたとしても完全に横倒しになることはなく、もって渦巻き薫香を振り落とすことがないものである。
【００１０】
また、上記構成において、両支持板の円弧状の斜面における下端から所定の高さの位置に、渦巻き薫香の最外周の部分を嵌め込むための凹部を形成するようになしてもよい。これにより渦巻き薫香の最外周が受け皿よりも高い位置に保持されることになり、着火した部分が受け皿に接触して立ち消えを起こすことを防ぐことができる。
【００１１】
また、上記構成において、両支持板の円弧状の斜面に夫々スポンジ状のグラスウールを取着するようにしてもよい。これにより薫香の着火した部分が両支持板の円弧状の斜面に直接接触することがなく、もって熱を奪われて立ち消えを起こす虞がなくなるものである。
【発明の効果】
【００１２】
本発明は上記の如き構成であり、渦巻き薫香の内周側の端部は所要の直径を有する円形の座板によって受け支えられ、而も該座板は着火した部分の熱を奪われないスポンジ状のグラスウールからなるものであるから、渦巻き薫香の端部は火がついたまま落下することなく最後まで完全に燃焼するものである。
【００１３】
また、連結片部の抜け止め手段として、連結片部の中央部に設けたくさびの挿通孔と、両支持板を直交状態に組み立てたとき、該くさびの挿通孔に挿通するくさびとをもって構成される抜け止め手段とし、或いは連結片部の一部を直線状の斜面に対して左右いずれかに折曲し得るように構成してなる抜け止め手段とした場合には、両支持板の組み立てが強固になり、また組み立てを解いて分解するときも手際よく行うことができるものである。
【００１４】
また、一方の支持板の頂部に形成した座板の支持片部を鉤形になした場合には、鉤形の座板の支持片部を使って吊り下げて使用することもできるようになるものである。そしてこのように吊り下げて使用する場合には、前記の通り受け皿に立てて使用する場合よりも安全である。
【００１５】
両支持板の円弧状の斜面における下端から所定の高さの位置に、渦巻き薫香の最外周の部分を嵌め込むための凹部を形成した場合には、渦巻き薫香の最外周が受け皿よりも高い位置に保持されることになり、着火した部分が受け皿に接触して立ち消えを起こすことを防ぐことができるものである。
【００１６】
また、両支持板の円弧状の斜面に夫々スポンジ状のグラスウールを取着した場合には、薫香の着火した部分が両支持板の円弧状の斜面に直接接触することがなく、もって熱を奪われて立ち消えを起こす虞がなくなるものである。
【発明を実施するための最良の形態】
【００１７】
本発明を実施するための最良の形態は、左右両側の斜面を円弧状として全体を略半円形となした一方の支持板と、左右いずれか一方側の斜面を円弧状となすと共にこれと反対側の斜面を直線状となしたもう一方の支持板とを用い、後者の支持板の直線状の斜面に形成した連結片部を、前者の支持板の幅方向の中心部に設けた連結片部の挿通孔に挿通して両支持板を直交状態に組み立てると共に適宜の抜け止め手段をもって連結片部の抜けを防ぎ、更にこの状態において後者の支持板の頂部に形成した座板の支持片部を、スポンジ状のグラスウールからなる円形の座板に設けた孔にくぐらせ、該座板を両支持板の頂部に配置したことにある。
【実施例１】
【００１８】
以下、本発明の実施例について説明する。
図１は本発明の実施例１の分解状態の平面図、図２は組み立てた状態の斜視図、図３は使用状態の斜視図である。
【００１９】
図中、１は一方の支持板である。また、該支持板１は、不燃材（本実施例では不燃性の紙又は金属）の平板からなり、左右両側の斜面１ａ、１ｂを円弧状として全体を略半円形となし、幅方向の中心部に、後記もう一方の支持板の連結片部が挿通される縦方向の孔２を設けてなるものである。また、本実施例においては、該支持板１の円弧状の斜面１ａ、１ｂにおける下端から所定の高さの位置に、渦巻き薫香の最外周の部分を嵌め込むための凹部３を形成している。またこの他、図示はしないが、該支持板１の円弧状の斜面１ａ、１ｂにスポンジ状のグラスウールを取着するようにしてもよい。
【００２０】
４はもう一方の支持板である。また、該支持板４は、不燃材（本実施例では不燃性の紙又は金属）の平板からなり、左右いずれか一方側の斜面（本実施例では左側の斜面）４ａを円弧状となすと共にこれと反対側の斜面４ｂを直線状となし、該直線状の斜面４ｂに、中央部に後記くさびの挿通孔５を設けた連結片部６を形成し、更に頂部に後記座板の支持片部７を形成してなるものである。また、本実施例では、該座板の支持片部７は鉤形になし、また円弧状の斜面４ａにおける下端から所定の高さの位置には、渦巻き薫香の最外周の部分を嵌め込むための凹部８を形成している。また、図示はしないが、支持板４の円弧状の斜面４ａにスポンジ状のグラスウールを取着するようにしてもよい。
【００２１】
９は平板からなる平面Ｖ字形をなすくさびである。而して、本実施例では、前記連結片部６の中央部に設けたくさびの挿通孔５と、前記両支持板１、４を直交状態に組み立てたとき、該くさびの挿通孔５に挿通するくさび９とをもって連結片部６の抜け止め手段としている。１０はスポンジ状のグラスウールからなる所要径の円形の座板であり、その中央部には前記支持板４における座板の支持片部７を挿通する孔１１を設けている。
【００２２】
そして、上記一方の支持板４の連結片部６をもう一方の支持板１に設けた連結片部の挿通孔２に挿通すると共に該支持板１の外側において連結片部６のくさびの挿通孔５にくさび９を挿通して、両支持板１、４を直交状態に組み立てるものである。そして最後に支持板４の頂部に形成した座板の支持片部７を、スポンジ状のグラスウールからなる円形の座板１０に設けた孔１１にくぐらせ、該座板１０を両支持板１、４の頂部に配置するものである。また、その他図中１２は渦巻き薫香を示す。
【００２３】
次に、上記実施例１の作用について説明する。
渦巻き薫香を焚くときには、図３に示す如く、組み立てた状態における両支持板１、４の頂部に配置した座板１０上に渦巻き薫香１２の中心部が位置するようにして渦巻き薫香１２をセットするものである。そしてこのとき渦巻き薫香１２が湿気を帯びて垂れ下がったときには、その全体が両支持板１、４の円弧状の斜面によって支持され、もって着火した部分が灰受け皿に接触することを防ぐことができるものである。そしてまた、渦巻き薫香１２をセットしたときにおいて、上記の如く該渦巻き薫香１２の中心部は所要の直径を有する円形の座板１０によって受け支えられ、而も該座板１０は着火した部分の熱を奪わないスポンジ状のグラスウールからなるものであるから、渦巻き薫香１２のまだ火がついている端部は落下することなく最後まで完全に燃焼するものである。
【００２４】
また、一方の支持板４の頂部に形成した鉤形の座板の支持片部７を使って吊り下げて使用することもでき、この場合には前記の通り受け皿に立てて使用する場合よりも安全である。
【実施例２】
【００２５】
次に、図４及び図５に示す本発明の実施例２について説明する。
本実施例と前記実施例１との相違点は、連結片部の抜け止め手段の違いにある。即ち、本実施例における連結片部の抜け止め手段は、連結片部６の一部を直線状の斜面４ｂに対して左右いずれかに折曲し得るように構成してなるものである。具体的には、連結片部６の上下に直線状の斜面４ｂに沿って切り込み６ａ、６ａを入れると共に、該切り込み６ａ、６ａの最深部において折曲用の折目線６ｂ、６ｂを設けてなるものである。而して、本実施例の場合には、仮想線で示す如く、連結片部６の上下の部分を折目線６ｂ、６ｂから反対方向に折り曲げて抜け止めとするものである。また、その他の構成並びに作用については前記実施例１と同様であるから、同一の部材には同一の符号を付して詳細な説明は省略する。
【図面の簡単な説明】
【００２６】
【図１】本発明の実施例１の分解状態の平面図である。
【図２】本発明の実施例１の組み立てた状態の斜視図である。
【図３】本発明の実施例１の使用状態の斜視図である。
【図４】本発明の実施例２の分解状態の平面図である。
【図５】従来の渦巻き薫香用支持具の斜視図である。
【符号の説明】
【００２７】
１  一方の支持板
１ａ、１ｂ  一方の支持板の円弧状の斜面
２  連結片部の挿通孔
４  もう一方の支持板
４ａ  もう一方の支持板の円弧状の斜面
４ｂ  もう一方の支持板の直線状の斜面
５  くさびの挿通孔
６  連結片部
６ａ  切り込み
６ｂ  折目線
７  座板の支持片部
９  くさび
１０  円形の座板
１１  座板の支持片部の挿通孔
【図１】
2006141538.tif 000003
【図２】
2006141538.tif 000004
【図３】
2006141538.tif 000005
【図４】
2006141538.tif 000006
【図５】
2006141538.tif 000007